(57)【要約】【課題】被記録媒体によって記録ヘッドが損傷を受けないようにされたインクジェット記録装置を提供する。【解決手段】インクジェット記録装置のキャリッジ部５には、記録ヘッドの端部７１Ｒ，７１Ｌを保護するヘッド保護板５２Ｒ，５２Ｌが、キャリッジ部５の往復走査する方向における記録ヘッドの両側に備えられている。ヘッド保護板５２Ｒ，５２Ｌは、記録ヘッドと被記録材Ｐとの距離をｄ１とし、各ヘッド保護板５２Ｒ，５２Ｌと被記録材Ｐとの距離をｄ２としたときに、ｄ１＞ｄ２の関係を満たすように構成されている。【選択図】　図６
2004066785.tif 000002
【特許請求の範囲】
【請求項１】
インク液滴を吐出して被記録媒体に記録を行う記録ヘッドを着脱自在に搭載し、前記被記録媒体に対して往復走査するキャリッジ部を有するインクジェット記録装置において、
前記キャリッジ部には、前記記録ヘッドの端部を保護するヘッド保護部材が、前記往復走査する方向における前記記録ヘッドの片側または両側に備えられており、
前記記録ヘッドと前記記録ヘッドに対向する位置に配置された前記被記録媒体との距離をｄ１とし、前記各ヘッド保護部材と前記被記録媒体との距離をｄ２としたときに、ｄ１＞ｄ２の関係を満たすように構成されていることを特徴とするインクジェット記録装置。
【請求項２】
インク液滴を吐出して被記録媒体に記録を行う記録ヘッドを着脱自在に搭載し、前記被記録媒体に対して往復走査するキャリッジ部を有するインクジェット記録装置において、
前記キャリッジ部には、前記記録ヘッドの端部を保護するヘッド保護部材が、前記往復走査する方向における前記記録ヘッドの両側に備えられており、
前記記録ヘッドの前記被記録媒体に対向する面には凸部が形成されており、
前記往復走査する方向における前記記録ヘッドの端部と前記記録ヘッドに対向する位置に配置された前記被記録媒体との距離をｄ１とし、前記各ヘッド保護部材と前記被記録媒体との距離をｄ２とし、前記凸部と前記被記録媒体との距離をｄ３としたときに、ｄ１＞ｄ２＞ｄ３の関係を満たすように構成されていることを特徴とするインクジェット記録装置。
【請求項３】
前記各ヘッド保護部材は弾性部材からなり、前記記録ヘッドを前記キャリッジ部に装着したときに前記キャリッジ部が当接して弾性変形するように構成されている、請求項１または２に記載のインクジェット記録装置。
【請求項４】
前記各ヘッド保護部材は前記キャリッジと一体に構成されている、請求項１から３のいずれか１項に記載のインクジェット記録装置。
【請求項５】
前記各ヘッド保護部材の前記記録ヘッドに近接する端部には斜面または曲面が形成されている、請求項１から４のいずれか１項に記載のインクジェット記録装置。
【発明の詳細な説明】
【０００１】
【発明の属する技術分野】
本発明は、インクジェット記録ヘッドのノズルから被記録媒体にインクを吐出して記録を行うインクジェット記録装置に関する。
【０００２】
【従来の技術】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて用紙やプラスチック薄板等の被記録材（被記録媒体）に画像を記録していくような構成を有している。このような記録装置は、記録方式によってインクジェット式、ワイヤドット式、サーマル式、レーザービーム式等に分けることができる。
【０００３】
被記録材の搬送方向（副走査方向）と交差する方向に主走査するシリアルスキャン方式を採るシリアルタイプの記録装置においては、被記録材に沿って移動するキャリッジ上に搭載した記録手段によって画像が記録され、１行分の記録を終了した後に所定量の紙送り（ピッチ搬送）が行なわれるという動作を繰り返して、被記録材の全体に記録が行われる。一方、被記録材の搬送方向の副走査のみで記録するラインタイプの記録装置においては、被記録材を所定の記録位置にセットし、一括して１行分の記録を行った後、所定量の紙送り（ピッチ送り）を行い、さらに、次の行の記録を一括して行うという動作を繰り返すことによって、被記録材の全体に記録が行われる。
【０００４】
上記の記録装置のうち、シリアルスキャン方式を用いたインクジェット式の記録装置（インクジェット記録装置）は、記録手段（記録ヘッド）から被記録材にインクを吐出して記録を行うものであり、記録手段のコンパクト化が容易であり、高精細な画像を高速で記録することができ、特別の処理を施さない普通紙に記録することができ、ランニングコストが低く、ノンインパクト方式であるため騒音が少なく、しかも多色のインクを使用してカラー画像を記録するのが容易であるなどの利点を有している。
【０００５】
特に、熱エネルギーを利用してインクを吐出するインクジェット式の記録手段（記録ヘッド）は、エッチング、蒸着、スパッタリング等の半導体製造プロセスを経て基板上に成膜された電気熱変換体、電極、液路壁、天板等を形成することにより、高密度の液路配置（吐出口配置）を有するものを容易に製造することができ、一層のコンパクト化を図ることができる。
【０００６】
近年、被記録材の材質に対する要求も多様となり、通常の被記録材である紙や樹脂薄板（ＯＨＰ等）等の他に、薄紙や加工紙（ファイリング用のパンチ孔付紙、ミシン目付き紙、任意な形状の紙等）等へ記録を行うことが要求されるようになってきている。
【０００７】
上記のインクジェット記録装置において、鮮明で高品位な記録結果を得るためには、被記録材と記録ヘッドとの距離を一定に安定して保つことが非常に重要である。そのため、被記録材の平滑性を向上させるように、被記録材を搬送するローラの配置、被記録材の押し付け部材の配置、被記録材の端部をガイドするガイド部材の配置等に関して、被記録材の搬送機構に様々な工夫がなされている。
【０００８】
【発明が解決しようとする課題】
しかしながら、上記の従来技術においては、被記録材の平滑性を維持するのに限界がある。特に、被記録材の先端や後端では被記録材の挙動が不安定になり、被記録材が記録ヘッドと接触してしまうことがある。特に、被記録材にカールが生じている場合にはこの現象は顕著になり、被記録材の折れや破れが発生するばかりではなく、最悪の場合には記録ヘッドを破壊してしまうこともある。
【０００９】
そこで本発明は、被記録媒体によって記録ヘッドが損傷を受けることを防止できるインクジェット記録装置を提供することを目的とする。
【００１０】
【課題を解決するための手段】
上記目的を達成するため、本発明のインクジェット記録装置は、インク液滴を吐出して被記録媒体に記録を行う記録ヘッドを着脱自在に搭載し、前記被記録媒体に対して往復走査するキャリッジ部を有するインクジェット記録装置において、前記キャリッジ部には、前記記録ヘッドの端部を保護するヘッド保護部材が、前記往復走査する方向における前記記録ヘッドの片側または両側に備えられており、前記記録ヘッドと前記記録ヘッドに対向する位置に配置された前記被記録媒体との距離をｄ１とし、前記各ヘッド保護部材と前記被記録媒体との距離をｄ２としたときに、ｄ１＞ｄ２の関係を満たすように構成されていることを特徴とする。
【００１１】
上記本発明のインクジェット記録装置によれば、キャリッジが走査する場合に、その走査方向の前方に被記録媒体のカールしたり折れ曲がっている部分（エッジ部分）がある場合には、被記録媒体のエッジ部分は最初にキャリッジのヘッド保護部材に当接するため、記録ヘッドの端部に当接することはない。そのため、記録ヘッドが被記録媒体に当接して破損してしまうことを防止することができる。
【００１２】
また、本発明の他のインクジェット記録装置は、インク液滴を吐出して被記録媒体に記録を行う記録ヘッドを着脱自在に搭載し、前記被記録媒体に対して往復走査するキャリッジ部を有するインクジェット記録装置において、前記キャリッジ部には、前記記録ヘッドの端部を保護するヘッド保護部材が、前記往復走査する方向における前記記録ヘッドの両側に備えられており、前記記録ヘッドの前記被記録媒体に対向する面には凸部が形成されており、前記往復走査する方向における前記記録ヘッドの端部と前記記録ヘッドに対向する位置に配置された前記被記録媒体との距離をｄ１とし、前記各ヘッド保護部材と前記被記録媒体との距離をｄ２とし、前記凸部と前記被記録媒体との距離をｄ３としたときに、ｄ１＞ｄ２＞ｄ３の関係を満たすように構成されていることを特徴とする。
【００１３】
上記のように構成された他のインクジェット記録装置によれば、記録ヘッドの製造上やむを得なく、記録ヘッドの被記録媒体に対向する面に凸部が設けられている場合であっても、この凸部は、インクが吐出されてカールしたり膨らんだりした被記録媒体に接触し、被記録媒体を記録ヘッドから遠ざける働きをする。そのため、このような凸部が記録ヘッドに設けられている場合であっても、上記のようにキャリッジのヘッド保護部材が記録ヘッドを被記録媒体のエッジ部分から保護する機能を妨げることはない。
【００１４】
また、前記各ヘッド保護部材は弾性部材からなり、前記記録ヘッドを前記キャリッジ部に装着したときに前記キャリッジ部が当接して弾性変形するように構成されていてもよい。これにより、各ヘッド保護部材等の製造誤差等にかかわらず、各ヘッド保護部材と記録ヘッドとの相対距離を精度良く一定に定めることができる。
【００１５】
さらに、前記各ヘッド保護部材は前記キャリッジと一体に構成されていてもよい。この構成によれば、各ヘッド保護部材を低コストで精度良くキャリッジに設けることができる。
【００１６】
また、前記各ヘッド保護部材の前記記録ヘッドに近接する端部には斜面または曲面が形成されている構成とすることにより、被記録媒体がこの端部に引っかかることを防止することができる。さらに、被記録媒体がヘッド保護部材の端部に当接する際の衝撃を緩和するとともに、ヘッド保護部材の端部が被記録媒体を破ったりすることを防止することができる。
【００１７】
【発明の実施の形態】
次に、本発明の実施形態について図面を参照して説明する。
【００１８】
（第１の実施形態）
図１は本発明の第１の実施形態に係る記録装置の全体構成を示す斜視図、図２はその記録装置の側断面図である。
【００１９】
自動給送装置を有する記録装置１は、給紙部２、送紙部３、排紙部４、キャリッジ部５、クリーニング部６からなっている。以下に、これらの概略を項目に分けて順次述べる。
【００２０】
（Ａ）給紙部
図１および図２に示すように、給紙部２は被記録材（不図示）を積載する圧板２１と、被記録材を給紙する給送回転体２２とがベース２０に取り付けられた構成を有している。圧板２１には可動サイドガイド２３が移動可能に設けられており、この可動サイドガイド２３は被記録材の積載位置を規制している。圧板２１はベース２０に結合された軸を中心に回転可能であり、圧板バネ２４により給送回転体２２に付勢されるようになっている。
【００２１】
（Ｂ）送紙部
送紙部３は、被記録材を搬送する搬送ローラ３６と、これに当接して従動するピンチローラ３７とを有している。これら搬送ローラ３６とピンチローラ３７とは、ローラ対を構成する。ピンチローラ３７は、ピンチローラガイド３０に保持されており、これがピンチローラばね３１に付勢されることでピンチローラ３７が搬送ローラ３６に圧接され、それによって被記録材の搬送力を生み出している。
【００２２】
さらに、被記録材が搬送されてくる送紙部３の入り口には、被記録材をガイドするプラテン３４が配設されている。また、ピンチローラガイド３０には被記録材の先端と後端が通過したときに変位するＰＥセンサレバー３５が設けられている。なお、記録装置本体の制御部の機能も有する電気基板９（図２）から送られた画像情報に基づいて画像を形成するインクジェット記録ヘッドと、それに供給するインクを貯蔵するインクタンクとからなるヘッドカートリッジ７は、搬送ローラ３６の被記録材の搬送方向下流側に配置されている。
【００２３】
上記の構成によれば、送紙部３に送られた被記録材はプラテン３４およびピンチローラガイド３０に案内され、搬送ローラ３６とピンチローラ３７とからなるローラ対に送られる。このとき、ＰＥセンサレバー３５が搬送されてきた被記録材の先端に押されて変位し、この変位をＰＥセンサ３２が検知することで、被記録材の記録位置を求めている。また、被記録材は、不図示のＬＦモーターによりローラ対３６，３７が回転することで、プラテン３４上を搬送される。
【００２４】
なお、本実施形態のヘッドカートリッジ７は、インクジェット記録ヘッドに対してインクタンクが交換可能である。このヘッドカートリッジ７は、ヒータ等により、記録ヘッドのノズル内のインクに熱を与えることが可能となっている。そして、その熱によりインクが膜沸騰し、この膜沸騰による気泡の成長または収縮によって生じる圧力変化によって記録ヘッドのノズルからインクが吐出されて、被記録材の上に画像が形成されるようになっている。
【００２５】
（Ｃ）キャリッジ部
キャリッジ部５は、ヘッドカートリッジ７が着脱自在に取り付けられるキャリッジ５０を有している。このキャリッジ５０は、被記録材の搬送方向に対して直角方向にキャリッジ５０を往復走査させるガイド軸８１と、キャリッジ５０の上部後端を保持してヘッドカートリッジ７と被記録材との隙間を一定に維持するガイドレール８２とによって支持されている。これらのガイド軸８１およびガイドレール８２はシャーシ８に取り付けられている。また、シャーシ８には、キャリッジ５０が図１の左方向に移動する範囲を規制する規制部８ａが、シャーシ８の一部を曲げ起こすことによって構成されている。
【００２６】
キャリッジ５０は、シャーシ８に取り付けられたキャリッジモータ８０によってタイミングベルト８３を介して駆動される。このタイミングベルト８３は、アイドルプーリ８４によって張設され、支持されている。さらに、キャリッジ５０には、電気基板９からヘッドカートリッジ７へ記録信号を伝えるためのフレキシブルケーブル５６が備えられている。また、キャリッジ５０には、キャリッジ５０の走査方向における位置を検出するリニアエンコーダ１０１が搭載されている。リニアエンコーダ１０１は、シャーシ８に取り付けられたリニアスケール１０２に形成されたラインの数を読みとることにより、キャリッジ５０の位置を検出することができる。リニアエンコーダ１０１が検出して得たキャリッジ５０の位置に関する信号は、フレキシブルケーブル５６を介して電気基板９に伝えられ、処理される。
【００２７】
上記の構成では、被記録材に画像を形成するときには、画像を記録する行位置（被記録材の搬送方向の位置）にローラ対３６，３７が被記録材を搬送するとともに、キャリッジモータ８０とリニアエンコーダ１０１を使用したフィードバック制御により、キャリッジ５０を画像記録を行う列位置（被記録材の搬送方向に対して垂直な位置）に移動させて、ヘッドカートリッジ７を画像記録位置に対向させる。その後、電気基板９からの信号により、ヘッドカートリッジ７が被記録材に向けてインクを吐出することで、被記録材に画像が形成される。
【００２８】
（Ｄ）排紙部
排紙部４は、画像記録が行われた被記録材を記録装置１の外に排出する排紙ローラ４１と、これに当接する回転可能な拍車４２とを有している。拍車４２は、回転する排紙ローラ４１に従動して回転する。
【００２９】
この構成により、キャリッジ部５の下方で画像が記録された被記録材は、排紙ローラ４１と拍車４２とのニップに挟まれて排出され、不図示の排紙トレー等に排出される。
【００３０】
（Ｅ）クリーニング部
クリーニング部６は、ヘッドカートリッジ７の記録ヘッドのノズルからインクを吸引するポンプ６０と、ヘッドカートリッジ７のノズルの乾燥を防ぐキャップ６１と、ヘッドカートリッジ７のフェイス面（吐出口形成面）を清掃するワイパー６２と、これらの駆動源であるＰＧモータ６９とから構成されている。
【００３１】
次に、本実施形態の記録装置１におけるキャリッジ部５の詳細について説明する。
【００３２】
図３は図１に示した記録装置のキャリッジ部をヘッドカートリッジのインク吐出面側から見た斜視図、図４は図３に示したキャリッジ部を正面から見た図である。
【００３３】
図３に示すように、キャリッジ部５は、ヘッドカートリッジ７をキャリッジ５０に固定するヘッド固定レバー５１と、ヘッドカートリッジ７をキャリッジ５０に装着する時にこれを案内するキャリッジカバー５２とを有している。
【００３４】
また、ヘッドカートリッジ７は、黒インクを吐出するノズルが構成されたヒータボード７２と、カラーインクを吐出するノズルが構成されたヒータボード７３と、電気基板９（図２）からの電気信号を各ヒータボード７２，７３のヒータに伝えるＦＰＣ（フレキシブル回路基板）７１とを有している。本実施形態では、これらのヒータボード７２，７３とＦＰＣ７１がインク吐出部であるインクジェット記録ヘッドを構成している。
【００３５】
図３および図４に示すように、ヘッドカートリッジ７のＦＰＣ７１の、キャリッジ５０の主走査方向における両側近傍には、ヘッド保護板５２Ｒとヘッド保護板５２Ｌがそれぞれ設けられている。これらは、キャリッジカバー５２と一体に成形されており、ヘッドカートリッジ７をキャリッジ５０に取り付けたときにヘッドカートリッジ７が当接して弾性変形するようになっている。そのため、各ヘッド保護部材５２Ｒ，５２Ｌ等の製造誤差等にかかわらず、各ヘッド保護板５２Ｒ，５２ＬとＦＰＣ７１との相対距離を精度良く一定に定めることができる。
【００３６】
図５は、図３等に示したヘッドカートリッジをキャリッジから外した状態で示す斜視図である。
【００３７】
ＦＰＣ７１はヘッドカートリッジ７に接着によって固定されており、その両側の端部７１Ｒ，７１Ｌから剥がれやすい構成になっている。また、ＦＰＣ７１自体の厚さも２００μｍ程度と薄く、ジャムした被記録材がＦＰＣ７１に引っかかるとＦＰＣ７１が剥がれたり破れたりして、記録ヘッドの故障を引き起こすおそれがある。そこで本実施形態では、被記録材がＦＰＣ７１に引っかからないように、図３および図４に示すヘッド保護板５２Ｒ，５２Ｌをキャリッジ部５に設けている。
【００３８】
図６は、図４に示したキャリッジ部のインク吐出部と被記録材との距離の関係を表した図である。
【００３９】
図６に示すように、キャリッジ部５は、各ヘッド保護板５２Ｒ，５２Ｌの表面がＦＰＣ７１の表面よりも突出するように構成されている。そのため、このキャリッジ部５の下方の画像記録領域に搬送されてきた被記録材ＰとＦＰＣ７１との距離をｄ１とし、被記録材Ｐと各ヘッド保護板５２Ｒ，５２Ｌとの距離をｄ２としたときに、ｄ１＞ｄ２の関係を満たすように構成されている。
【００４０】
したがって、キャリッジ部５が例えば図６の右方向に走査する場合に、その走査方向の前方に被記録材Ｐのカールしたり折れ曲がっている部分（エッジ部分）がある場合には、被記録材Ｐは最初にキャリッジ部５の右側のヘッド保護板５２Ｒに当接する。そして、キャリッジ部５が右方向にさらに走査すると、ＦＰＣ７１の右側の端部７１Ｒが、被記録材Ｐのエッジ部分に対向する位置を通過する。しかし、ヘッド保護板５２Ｒの端部とＦＰＣ７１の端部７１Ｒとの間隔は非常に小さいので、被記録材Ｐのエッジ部分がその端部７１Ｒに当接することはなく、記録ヘッドが被記録材Ｐに当接して破損することはない。
【００４１】
その後、キャリッジ部５が右方向にさらに走査すると、左側のヘッド保護板５２Ｌの端部が、被記録材Ｐのエッジ部分に対向する位置を通過する。図６に示すようにヘッド保護板５２Ｒ，５２Ｌの端部には斜面が形成されているので、このとき被記録材Ｐのエッジ部分はその斜面に当接し、その斜面を伝ってヘッド保護板５２Ｌの表面に滑らかに送られていく。つまり、被記録材Ｐのエッジ部分がヘッド保護板５２Ｌの端部に引っかかることはない。そのため、被記録材Ｐのエッジ部分がヘッド保護板５２Ｌの端部に当接する際の衝撃を緩和するとともに、ヘッド保護部材５２Ｌの端部が被記録材を破ったりすることを防止することができる。
【００４２】
キャリッジ部５が図６の左方向に走査する場合にも、上記と同様に動作する。この場合には、ＦＰＣ７１の左側の端部７１Ｌがヘッド保護板５２Ｌによって被記録材Ｐのエッジ部分から保護され、右側のヘッド保護板５２Ｒに形成された端部７１Ｒによって、被記録材Ｐのエッジ部分の引っかかりが防止される。
【００４３】
以上説明したように、本実施形態の記録装置１は、ヘッド保護板５２Ｒ，５２Ｌがヘッドカートリッジ７のＦＰＣ７１よりも被記録材に近くなるように構成されているので、被記録材にジャムやカールが発生した場合であっても、キャリッジ部５の走査中にＦＰＣ７１の端部に被記録材のエッジ部が引っかかることが防止されるため、記録ヘッドが破損することを防止し、記録装置１の信頼性を向上させることができる。
【００４４】
なお、上記では各ヘッド保護板５２Ｒ，５２Ｌの端部に斜面が形成されている例を示したが、この他にも、各ヘッド保護板５２Ｒ，５２Ｌの端部に曲面が形成されていてもよい。
【００４５】
また、本実施形態ではヘッドカートリッジ７の走査方向における両側にヘッド保護板５２Ｒ，５２Ｌを設けた例を示したが、被記録材Ｐの一端が浮き上がらない構造になっている場合には、その片側のみにヘッド保護板を設けた構成としてもよい。
【００４６】
（第２の実施形態）
図７は本発明の第２の実施形態に係る記録装置におけるキャリッジ部の正面図、図８は図７に示したキャリッジ部のインク吐出部と被記録材との距離の関係を表した図である。
【００４７】
本実施形態におけるキャリッジ部５もＦＰＣ７１の両側にヘッド保護板５２Ｒ，５２Ｌを備えており、各ヘッド保護板５２Ｒ，５２Ｌの表面がＦＰＣ７１の表面よりも突出するように構成されている。本実施形態においても、キャリッジ部５の下方の画像記録領域に搬送されてきた被記録材ＰとＦＰＣ７１との距離をｄ１とし、被記録材Ｐと各ヘッド保護板５２Ｒ，５２Ｌとの距離をｄ２としたときに、ｄ１＞ｄ２の関係を満たしている。
【００４８】
ただし、本実施形態では、ヒータボード７２，７３がＦＰＣ７１の表面から突出しており、これらはＦＰＣ７１よりも被記録材Ｐに近くなっている。このような凸部はヒータボード７２，７３をＦＰＣ７１に電気的に接続するためにできるものであり、記録ヘッドの製造上やむを得ないときがある。
【００４９】
被記録材Ｐとヘッドカートリッジ７との相対距離を定義するときは、この凸部と被記録材Ｐとの距離ｄ３が厳しく管理されており、距離ｄ３が距離ｄ２よりも小さくなるように、すなわちｄ１＞ｄ２＞ｄ３の関係を満たすようになっている。そのため、インクが吐出された被記録材Ｐがカールしたり膨らんだりしたときには、この凸部が被記録材Ｐに接触し、被記録材Ｐをヘッドカートリッジ７から遠ざける働きをする。したがって、このような距離ｄ３を成す凸部がヘッドカートリッジ７に形成されていても、ヘッド保護板５２Ｒ，５２ＬがＦＰＣ７１の端部７１Ｒ，７１Ｌを保護することを妨げることはない。
【００５０】
（その他の実施形態）
本発明は、特にインクジェット記録方式の中でも熱エネルギーを利用して飛翔的液滴を形成し、記録を行うインクジェット方式の記録装置において優れた効果をもたらすものである。
【００５１】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。
【００５２】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００５３】
記録ヘッドの構成としては、上述の各明細書に開示されているような吐出口、液路、電気熱変換体の組み合わせ構成（直線状液流路または直角液流路）の他に、熱作用部が屈曲する領域に配置されている構成を開示する米国特許第４５５８３３３号明細書、米国特許第４４５９６００号明細書を用いた構成も本発明に含まれるものである。
【００５４】
加えて、複数の電気熱変換体に対して、共通するスリットを電気熱変換体の吐出部とする構成を開示する特開昭５９−１２３６７０号公報や熱エネルギーの圧力波を吸収する開孔を吐出部に対応させる構成を開示する特開昭５９−１３８４６１号公報に基づいた構成としても本発明は有効である。
【００５５】
また、本発明の記録装置の構成として設けられる、記録ヘッドに対しての回復手段、予備的な補助手段等を付加することは本発明の効果を一層安定できるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００５６】
さらに、記録装置の記録モードとしては黒色等の主流色のみの記録モードだけではなく、記録ヘッドを一体的に構成するか複数個を組み合わせによってでもよいが、異なる色の複色カラー、または混色によるフルカラーの少なくとも一つを備えた装置にも本発明は極めて有効である。
【００５７】
以上説明した本発明の実施形態においては、インクを液体として説明しているが、室温やそれ以下で固化するインクであって、室温で軟化するもの、もしくは液体であるもの、あるいは上述のインクジェット方式ではインク自体を３０℃以上７０℃以下の範囲内で温度調整を行ってインクの粘性を安定吐出範囲にあるように温度制御するものが一般的であるから、使用する記録信号の付与時にインクが液状をなすものであればよい。
【００５８】
加えて、積極的に熱エネルギーによる昇温をインクの固形状態から液体状態への状態変化のエネルギーとして使用せしめることで防止するか、またはインクの蒸発防止を目的として放置状態で固化するインクを用いるかして、いずれにしても熱エネルギーの記録信号に応じた付与によってインクが液化し、液状インクとして吐出するものや、記録媒体に到達する時点では既に固化し始めるもの等のような、熱エネルギーによって初めて液化する性質のインクの使用も本発明には適用可能である。このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００５９】
さらに加えて、本発明に係る記録装置の形態としては、ワードプロセッサやコンピュータ等の情報処理機器の画像出力端末として一体または別体に設けられるものの他、リーダ等と組み合わせた複写装置、さらには送受信機能を有するファクシミリ装置の形態を採るものであっても良い。
【００６０】
【発明の効果】
以上説明したように、本発明のインクジェット記録装置は、記録ヘッドを着脱自在に搭載して往復走査するキャリッジに、記録ヘッドの端部を保護するヘッド保護部材が記録ヘッドの往復走査する方向における片側または両側に備えられており、記録ヘッドと記録ヘッドに対向する位置に配置された被記録媒体との距離をｄ１とし、各ヘッド保護部材と被記録媒体との距離をｄ２としたときに、ｄ１＞ｄ２の関係を満たすように構成されているので、記録ヘッドが被記録媒体に当接して破損してしまうことを防止することができる。
【図面の簡単な説明】
【図１】本発明の第１の実施形態に係る記録装置の全体構成を示す斜視図である。
【図２】図１に示した記録装置の側断面図である。
【図３】図１に示した記録装置のキャリッジ部をヘッドカートリッジのインク吐出面側から見た斜視図である。
【図４】図３に示したキャリッジ部を正面から見た図である。
【図５】図３等に示したヘッドカートリッジをキャリッジから外した状態で示す斜視図である。
【図６】図４に示したキャリッジ部のインク吐出部と被記録材との距離の関係を表した図である。
【図７】本発明の第２の実施形態に係る記録装置におけるキャリッジ部の正面図である。
【図８】図７に示したキャリッジ部のインク吐出部と被記録材との距離の関係を表した図である。
【符号の説明】
１　　記録装置
２　　給紙部
３　　送紙部
４　　排紙部
５　　キャリッジ部
６　　クリーニング部
７　　ヘッドカートリッジ
８　　シャーシ
８ａ　規制部
９　　電気基板
２０　　ベース
２１　　圧板
２２　　給送回転体
２３　　可動サイドガイド
２４　　圧板ばね
３０　　ピンチローラガイド
３１　　ピンチローラばね
３２　　ＰＥセンサ
３４　　プラテン
３５　　ＰＥセンサレバー
３６　　搬送ローラ
３７　　ピンチローラ
４１　　排紙ローラ
４２　　拍車
５０　　キャリッジ
５１　　ヘッド固定レバー
５２　　キャリッジカバー
５２Ｒ，５２Ｌ　　ヘッド保護板
５６　　フレキシブルケーブル
６０　　ポンプ
６１　　キャップ
６２　　ワイパー
６９　　ＰＧモータ
７１　　ＦＰＣ（フレキシブル回路基板）
７１Ｒ，７１Ｌ　　端部
７２，７３　　ヒータボード
８０　　キャリッジモータ
８１　　ガイド軸
８２　　ガイドレール
８３　　タイミングベルト
８４　　アイドルプーリ
１０１　　リニアエンコーダ
１０２　　リニアスケール
Ｐ　　被記録材
【図１】
2004066785.tif 000003
【図２】
2004066785.tif 000004
【図３】
2004066785.tif 000005
【図４】
2004066785.tif 000006
【図５】
2004066785.tif 000007
【図６】
2004066785.tif 000008
【図７】
2004066785.tif 000009
【図８】
2004066785.tif 000010